【事件の表示】
　特願２００２−２８９７５５「おむつ収納パッケージ」拒絶査定不服審判事件〔平成１６年４月２２日出願公開、特開２００４−１２３１７１〕について、次のとおり審決する。
【結　論】
　本件審判の請求は、成り立たない。
【理　由】
１　手続の経緯
　本願は、平成１４年１０月２日の出願であって、平成１９年１０月４日付けで拒絶査定がなされ、これに対し、平成１９年１１月８日に拒絶査定不服審判の請求がなされ、平成１９年１２月５日に明細書を対象とする手続補正がなされたものである。
　
２　平成１９年１２月５日にした明細書を対象とする手続補正（以下、「本件手続補正」という。）についての補正却下の決定
〔補正却下の決定の結論〕
　本件手続補正を却下する。
〔理由〕
（１）補正後の本願発明
　本件手続補正により、明細書の特許請求の範囲の請求項１は、
「【請求項１】可撓性を有するシートから形成され、隣接する面が略直角に交差する六面体からなるパッケージ内部の対向側面間に、互いに対向する前後胴周り域と股下域とを有し、前記前後胴周り域の縦方向へ延びる胴周り両側部の側縁近傍が連結されて胴周り開口と一対の脚周り開口とが形成されたパンツ型の使い捨ておむつを多数重ね合わせて収納したおむつ収納パッケージにおいて、
　前記おむつが、前記前後胴周り域間に延びる吸液性コアを有し、前記おむつの胴周り両側部が、前記前後胴周り域および前記股下域に延びる前記コアの両側部とともに、前記胴周り両側部の側縁間の幅寸法を二分する縦中心線を越えてそれぞれ幅方向の反対側へ位置するように前記おむつの内側に折り込まれ、前記おむつの胴周り側部どうしが相互に重なり合っており、
　多数の前記おむつが、前記胴周り両側部および前記コアの両側部を除く主要部を互いに当接させた状態で前記パッケージ内部に圧縮された状態で収納されていることを特徴とする前記パッケージ。」
と補正された。
　上記補正は、補正前の請求項１に記載された発明を特定する事項である「前記コアの両側部」について「および前記股下域に延びる」との限定を付加し、同請求項１に記載された発明を特定する事項である「稠密に収納されている」を「圧縮された状態で収納されている」と技術的に限定するものであり、しかも、補正後の請求項１に記載された発明と補正前の請求項１に記載された発明の産業上の利用分野及び解決しようとする課題が異なるものではない。
　したがって、上記補正は、平成１８年法律第５５号改正附則第３条第１項によりなお従前の例によるとされる同法による改正前の特許法（以下、「平成１８年改正前特許法」という。）第１７条の２第４項第２号に規定する特許請求の範囲の減縮を目的とするものに該当する。
　そこで、本件手続補正後の上記請求項１に記載された事項により特定される発明（以下、「本願補正発明」という。）が、特許出願の際独立して特許を受けることができるものであるか（平成１８年改正前特許法第１７条の２第５項において準用する同法第１２６条第５項の規定に適合するか）について、以下に検討する。
　
（２）引用例の記載事項
　原査定の拒絶の理由に引用された、本願の出願前に頒布された刊行物である特開平１１−９１８０１号公報（以下、「引用例１」という。）には、次の記載がある。
　「【請求項１】一対の側面ガセットパネル部と、一対の該側面ガセットパネル部間を連設する前面パネル部及び背面パネル部とにより四側面が形成され、吊手部を有する上面パネル部と底面パネル部とにより上下面が形成され、複数個の圧縮された物品をその物品の圧縮面が上記側面ガセットパネル部に面接した状態で収容する略直方体形状の圧縮物品用包装袋に……開封部付圧縮物品用包装袋。」
　「【０００１】【発明の属する技術分野】本発明は、開封部付圧縮物品用包装袋に関するものであり、より詳しくは、使い捨ておむつ、生理用品等の物品を圧縮状態で包装するプラスチック製バックで……開封部付圧縮物品用包装袋に関するものである。」
　「【０００２】【従来の技術及び発明が解決しようとする課題】一般に、紙オムツ、生理用品等は複数個のものを整列させた状態で圧縮し、圧縮状態で包装袋に収納されて搬送、販売される。そして、このような圧縮物品用包装袋にはその側面をガセット折りするチューブフィルム等を使用している。…」
　「【００１６】…図１及び図２に示す如く、開封部付圧縮物品用包装袋１には圧縮可能な物品である使い捨ておむつ１０，１０・・・が整列して収納される。使い捨ておむつ１０，１０・・・は整列方向から圧縮、即ち包装袋１の側面ガセットパネル部４，４（うち１つは図示せず）で挟圧され…」
　そして、図２、図３には、多数の使い捨ておむつが重ね合わせて収納された状態が図示されている。
　以上の記載及び図１ないし図４によれば、引用例１には、次の発明が記載されていると認められる。
　「一対の側面ガセットパネル部と、一対の該側面ガセットパネル部間を連設する前面パネル部及び背面パネル部とにより四側面が形成され、吊手部を有する上面パネル部と底面パネル部とにより上下面が形成された略直方体形状のプラスチック製バックの側面ガセットパネル部間に、多数の圧縮された使い捨ておむつを重ね合わせて、使い捨ておむつの圧縮面が側面ガセットパネル部に面接した状態で収容した包装体。」
　同じく原査定の拒絶の理由に引用された、本願の出願前に頒布された刊行物である実願平２−４２０６０号（実開平４−８２８号）のマイクロフィルム（以下、「引用例２」という。）には、次の記載がある。
　ａ「（１）少なくとも表面シート、裏面シートおよびこれらの間に介在させた吸収体とから成るパンツ型おむつにおいて、前記おむつの胴口部から脚口部にまたがる横方向対向側部の各々を前記おむつの縦方向中心線に向け、かつ前記おむつの腹部側と背部側との間に介在せしめるように折り込みが成されて、畳まれた前記パンツ型おむつ。
（２）前記折り込みは、前記吸収体の側縁の少なくとも一部に沿って行われている請求項１記載のパンツ型おむつ。」（明細書１頁５ないし１５行（実用新案登録請求の範囲））
　ｂ「〔従来の技術〕表面シート、裏面シートおよびこれらの間に介在させた吸収体とからなるおむつは、使い捨ておむつの分野において重用されている。」（明細書２頁２ないし５行）
　ｃ「〔作用と効果〕パンツ型おむつの横方向対向側部を腹部側と背部側との間に折り込み、かつ前記の折り込みを嵩張りと固さのある吸収体の外形線の少なくとも一部に沿って行うことで、折り込んで、畳んだおむつの外形が相対的に変形しにくい吸収体によって形成されて整い、且つ安定する。従って、またこのようなおむつは、積み重ねることが容易になるとともに、袋や箱への納まりも良くなるから…速やかな梱包作業を実現できる。」（同４頁１２行ないし５頁２行）
　ｄ「おむつ１の胴口部１３から脚口部１２の間にまたがる横方向対向側部１４は、トップシート２とバックシート３とから構成されていて、吸収体４が存在していない。」（同７頁１６ないし１９行）
　ｅ「〔実施例２〕第５図は、実施例１とほぼ同様におむつ１を折り込んで、畳むが、側部１４の折り込みを吸収体４の側縁４Ｂに沿って行った場合を示す。横方向に対向する一対の側縁４Ｂは、吸収体４で最も幅の狭い部位を形成している。従って、この場合の折り込みでは、砂時計型吸収体４の縦方向対向端縁４Ｅに沿って延びる拡幅した部分、即ち側縁４Ａ，４Ｃの近傍は側部１４の折り込みと共に腹部側１５と背部側１６との間に折り込まれる。第６図は…吸収体４について側縁４Ａ，４Ｃの近傍を側部１４とともに折り込んだ状態を示す。本実施例に示す折り込みによる畳み方の場合、おむつ１は、図示のように平面的に見た外形をほぼ矩形に整えることができて、実施例１で得られる諸利点に加え、さらに梱包を容易にし」（明細書９頁１４行ないし１０頁１０行）
　そして、第１図には、互いに対向する前後胴周り域と股下域とを有し、前後胴周り域の縦方向へ延びる両横方向対向側部１４の側縁近傍が連結されて胴口部１３と脚口部１２とが形成されたパンツ型おむつが図示され、第２図には、おむつの前後胴周り域間に延びる吸収体４が図示され、第６図には、両横方向対向側部１４が両横方向対向側部１４の側縁間の幅寸法を二分する縦中心線Ａ−Ａで突き合わせられている態様が図示されている。
　以上の記載並びに第１図、第２図、第５図及び第６図によれば、引用例２には、次の発明が記載されていると認められる。
　「互いに対向する前後胴周り域と股下域とを有し、前後胴周り域の縦方向へ延びる両横方向対向側部の側縁近傍が連結されて胴口部と一対の脚口部とが形成されたパンツ型使い捨ておむつであって、前後胴周り域間に延びる吸収体を有し、両横方向対向側部が、吸収体の縦方向対向端縁に沿って延びる拡幅した部分とともに、腹部側と背部側との間に内側に折り込まれ、両横方向対向側部が、両横方向対向側部の側縁間の幅寸法を二分する縦中心線で突き合わせられている、パンツ型使い捨ておむつ。」
　
（３）対比
　本願補正発明と引用例１記載の発明とを対比すると、引用例１記載の発明の「一対の側面ガセットパネル部と、一対の該側面ガセットパネル部間を連設する前面パネル部及び背面パネル部とにより四側面が形成され、吊手部を有する上面パネル部と底面パネル部とにより上下面が形成された略直方体形状のプラスチック製バック」、「側面ガセットパネル部間」及び「包装体」は、本願補正発明の「可撓性を有するシートから形成され、隣接する面が略直角に交差する六面体からなるパッケージ」、「対向側面間」及び「おむつ収納パッケージ」に相当するから、両者は、
「可撓性を有するシートから形成され、隣接する面が略直角に交差する六面体からなるパッケージ内部の対向側面間に、使い捨ておむつを多数重ね合わせて収納したおむつ収納パッケージにおいて、多数の前記おむつが、パッケージ内部に圧縮された状態で収納されている前記パッケージ」
である点で一致し、次の点で相違する。
　相違点
　本願補正発明では、使い捨ておむつが、互いに対向する前後胴周り域と股下域とを有し、前後胴周り域の縦方向へ延びる胴周り両側部の側縁近傍が連結されて胴周り開口と一対の脚周り開口とが形成されたパンツ型の使い捨ておむつであって、前記おむつが、前後胴周り域間に延びる吸液性コアを有し、前記おむつの胴周り両側部が、前後胴周り域および股下域に延びる前記コアの両側部とともに、胴周り両側部の側縁間の幅寸法を二分する縦中心線を越えてそれぞれ幅方向の反対側へ位置するように前記おむつの内側に折り込まれ、前記おむつの胴周り側部どうしが相互に重なり合っており、多数の前記おむつが、胴周り両側部および前記コアの両側部を除く主要部を互いに当接させた状態で収納されているのに対して、引用例１記載の発明では、使い捨ておむつが、パンツ型であるのか、折り畳まれいるのかについて言及がない点。
　
（４）相違点の検討
　そこで、上記相違点について検討する。
　前述の引用例２記載の発明の「両横方向対向側部」、「胴口部」、「脚口部」、「吸収体」及び「吸液性コアの縦方向対向端縁に沿って延びる拡幅した部分」は、それぞれ本願補正発明の「胴周り両側部」、「胴周り開口」、「脚周り開口」、「吸液性コア」及び「前後胴周り域に延びる前記コアの両側部」に相当するので、引用例２には、「互いに対向する前後胴周り域と股下域とを有し、前後胴周り域の縦方向へ延びる胴周り両側部の側縁近傍が連結されて胴周り開口と一対の脚周り開口とが形成されたパンツ型使い捨ておむつであって、前後胴周り域間に延びる吸液性コアを有し、胴周り両側部が、前後胴周り域に延びる吸液性コアの両側部とともに、おむつの内側に折り込まれ、胴周り両側部が、胴周り両側部の側縁間の幅寸法を二分する縦中心線で突き合わせられている、パンツ型使い捨ておむつ」が記載されている。
　ここで、本願補正発明では、前後胴周り域に延びる吸収性コアの両側部のみならず、股下域に延びる吸収性コアの両側部も内側に折り込まれ、おむつの胴周り両側部が、胴周り両側部の側縁間の幅寸法を二分する縦中心線を越えてそれぞれ幅方向の反対側へ位置するようにおむつの内側に折り込まれ、おむつの胴周り側部どうしが相互に重なり合っているが、前後胴周り域に延びる吸収性コアの両側部のみならず、股下域に延びる吸収性コアの両側部をも内側に折り込むことは、折り込まれた後の所望の幅寸法のおむつを得るために、吸収性コアの幅を考慮して当業者が適宜なし得る設計的事項にすぎず、そのように股下域に延びる吸収性コアの両側部をも内側に折り込めば、おむつの胴周り両側部が、胴周り両側部の側縁間の幅寸法を二分する縦中心線を越えてそれぞれ幅方向の反対側へ位置するようにおむつの内側に折り込まれ、おむつの胴周り側部どうしが相互に重なり合うことは、自明である（引用例２の第６図を参照。）。
　そして、引用例２には、胴周り両側部が折り込まれることにより、折り込まれて畳まれたおむつの外形が、相対的に変形しにくい吸収体によって形成されて整い、安定し、積み重ねが容易になるとともに、梱包が容易になることが記載されている（上記記載ｃ、ｅ参照。）ので、引用例１記載の発明において、パッケージに多数重ね合わせて収納されるおむつとして、引用例２に記載のおむつを、折り込まれた後の所望の幅寸法とするために、前後胴周り域に延びる吸収性コアの両側部のみならず、股下域に延びる吸収性コアの両側部をも内側に折り込み採用して、相違点に係る本願補正発明の事項とすることは、そのようなおむつを、引用例１記載の発明のパッケージに収納すれば、多数のおむつが、胴周り両側部および吸収性コアの両側部を除く主要部を互いに当接させた状態で収納されることになることは自明の事項であるから、当業者であれば容易になし得たことである。
　しかも、本願補正発明が奏する効果も、引用例１及び引用例２記載の発明から当業者が予測できたものであって、格別顕著なものとはいえない。
　したがって、本願補正発明は、引用例１及び引用例２記載の発明に基いて、当業者が容易に発明をすることができたものであるから、特許法第２９条第２項の規定により、特許出願の際独立して特許を受けることができないものである。
　なお、審判請求人は、当審での審尋に対する回答書において、請求項１の補正案を提示して、ア．吸収性コアの両側部どうしが相互に重なり合う旨の事項、イ．頂面におむつを取り出す開口が形成されている旨の事項、ウ．頂面側に前後胴周り域であって吸収性コアの両端部の外側に位置する胴周り端部が位置し、底面側に股下域が位置している旨の事項、等を付加しようとしている。
　しかし、アの事項は、折り込まれた後の所望の幅のおむつを得るために、吸収性コアの幅を考慮して当業者が適宜なし得る設計的事項にすぎず、イの事項は、物品収納パッケージにおいて普通に採用されている事項にすぎず、ウの事項は、物品の上部を上にして、下部を下にしてパッケージに物品を収納するという、物品収納パッケージにおいて普通に行われている物品の収納態様にすぎないから、補正案に示された請求項１も、本願補正発明と同様に、引用例１及び引用例２記載の発明に基いて、当業者が容易に発明をすることができたものである。
　
（５）まとめ
　以上のとおり、本件手続補正は、平成１８年改正前特許法第１７条の２第５項において準用する同法第１２６条第５項の規定に違反するものであり、特許法第１５９条第１項において読み替えて準用する同法第５３条第１項の規定により却下されるべきものである。
　
３　本願発明について
（１）本願発明
　上記のとおり、本件手続補正は却下されたので、本願の請求項１及び２に係る発明は、平成１９年９月１３日に補正された明細書の特許請求の範囲の請求項１及び２に記載された事項により特定されるものと認められるところ、請求項１は次のとおり記載されている。
「【請求項１】　可撓性を有するシートから形成され、隣接する面が略直角に交差する六面体からなるパッケージ内部の対向側面間に、互いに対向する前後胴周り域と股下域とを有し、前記前後胴周り域の縦方向へ延びる胴周り両側部の側縁近傍が連結されて胴周り開口と一対の脚周り開口とが形成されたパンツ型の使い捨ておむつを多数重ね合わせて収納したおむつ収納パッケージにおいて、
　前記おむつが、前記前後胴周り域間に延びる吸液性コアを有し、前記おむつの胴周り両側部が、前記前後胴周り域に延びる前記コアの両側部とともに、前記胴周り両側部の側縁間の幅寸法を二分する縦中心線を越えてそれぞれ幅方向の反対側へ位置するように前記おむつの内側に折り込まれ、前記おむつの胴周り側部どうしが相互に重なり合っており、
　多数の前記おむつが、前記胴周り両側部および前記コアの両側部を除く主要部を互いに当接させた状態で前記パッケージ内部に稠密に収納されていることを特徴とする前記パッケージ。」
（以下、請求項１に係る発明を、「本願発明１」という。）
　
（２）引用例の記載事項
　原査定の拒絶の理由に引用された引用例及びその記載事項は、上記２（２）に記載したとおりである。
　
（３）対比・検討
　本願発明１は、上記２（１）で検討した本願補正発明から、「前記コアの両側部」について限定する「および前記股下域に延びる」との特定事項を省き、同請求項１に記載された発明を特定する事項である「圧縮された状態で収納されている」を「稠密に収納されている」と技術的範囲を拡張するものである。
　そうすると、本願発明１を特定する事項を全て含み、さらに他の特定する事項を付加したものに相当する本願補正発明が、上記２（４）に記載したとおり、引用例１及び引用例２記載の発明に基いて、当業者が容易に発明をすることができたものであるから、本願発明１も、同様の理由により、引用例１及び引用例２記載の発明に基いて、当業者が容易に発明をすることができたものである。
　
（４）むすび
　以上のとおり、本願発明１は、特許法第２９条第２項の規定により特許を受けることができないものであり、他の請求項に係る発明について検討するまでもなく、本願は拒絶されるべきものである。
　よって、結論のとおり審決する。